(57)【要約】【課題】本発明は、ＰＷＭ信号生成回路及びモータ駆動回路に関する。【解決手段】本発明のＰＷＭ信号生成回路は、絶対温度に比例する絶対温度比例電圧を生成するＰＴＡＴ（Ｐｒｏｐｏｒｔｉｏｎａｌ  Ｔｏ  Ａｂｓｏｕｌｔｅ  Ｔｅｍｐｅｒａｔｕｒｅ）電圧生成部と、予め設定された基準波信号を生成する基準波信号生成部と、上記絶対温度比例電圧と上記基準波信号を比較してパルス幅変調（以下、「ＰＷＭ」という）信号を生成するＰＷＭ信号生成部と、を含み、上記ＰＴＡＴ電圧生成部は制御信号により上記絶対温度比例電圧を調節することができる。【選択図】図１
2014093934.tif 000002
【特許請求の範囲】
【請求項１】
絶対温度に比例する絶対温度比例電圧を生成するＰＴＡＴ（Ｐｒｏｐｏｒｔｉｏｎａｌ  Ｔｏ  Ａｂｓｏｕｌｔｅ  Ｔｅｍｐｅｒａｔｕｒｅ）電圧生成部と、
予め設定された基準波信号を生成する基準波信号生成部と、
前記絶対温度比例電圧と前記基準波信号を比較してパルス幅変調（以下、「ＰＷＭ」という）信号を生成するＰＷＭ信号生成部と、
を含み、
前記ＰＴＡＴ電圧生成部は制御信号により前記絶対温度比例電圧を調節する、ＰＷＭ信号生成回路。
【請求項２】
前記ＰＴＡＴ電圧生成部は、
前記制御信号により可変される可変抵抗と、絶対温度に比例する絶対温度比例抵抗との抵抗比率に応じて、前記絶対温度比例電圧を調節する、請求項１に記載のＰＷＭ信号生成回路。
【請求項３】
前記ＰＴＡＴ電圧生成部は、
電源電圧端に並列に連結された一端及び他端を有する第１〜第ｎの抵抗を含む抵抗回路部と、
前記第１〜第ｎの抵抗それぞれの他端に連結された一端及び他端を有する第１〜第ｎのスイッチを含み、前記第１〜第ｎのスイッチそれぞれは前記制御信号によりスイッチング動作するスイッチ回路部と、
前記第１〜第ｎのスイッチそれぞれの他端に連結された共通接続ノードと接地の間に設けられて、前記絶対温度比例抵抗を有する半導体素子と、
を含む、請求項２に記載のＰＷＭ信号生成回路。
【請求項４】
前記ＰＴＡＴ電圧生成部は、
電源電圧端に連結された一端及び他端を有し、前記絶対温度比例抵抗を有する半導体素子と、
前記半導体素子の他端に並列に連結された一端及び他端を有する第１〜第ｎのスイッチを含み、前記第１〜第ｎのスイッチそれぞれは前記制御信号によりスイッチング動作するスイッチ回路部と、
前記第１〜第ｎのスイッチそれぞれの他端に連結された一端と接地に連結された他端を有する第１〜第ｎの抵抗を含む抵抗回路部と、
を含む、請求項２に記載のＰＷＭ信号生成回路。
【請求項５】
前記半導体素子は、
前記絶対温度比例抵抗を有するトランジスタを含む、請求項３又は４に記載のＰＷＭ信号生成回路。
【請求項６】
前記ＰＷＭ信号生成部は、
前記基準波信号の電圧レベルが前記絶対温度比例電圧のレベル以上の場合はハイレベルを有するＰＷＭ信号を提供し、前記基準波信号の電圧レベルが前記絶対温度比例電圧のレベル未満の場合はローレベルを有するＰＷＭ信号を提供する、請求項１に記載のＰＷＭ信号生成回路。
【請求項７】
前記ＰＷＭ信号生成部は、
前記基準波信号の電圧レベルが前記絶対温度比例電圧のレベル以上の場合はローレベルを有するＰＷＭ信号を提供し、前記基準波信号の電圧レベルが前記絶対温度比例電圧のレベル未満の場合はハイレベルを有するＰＷＭ信号を提供する、請求項１に記載のＰＷＭ信号生成回路。
【請求項８】
絶対温度に比例する絶対温度比例電圧を生成するＰＴＡＴ（Ｐｒｏｐｏｒｔｉｏｎａｌ  Ｔｏ  Ａｂｓｏｕｌｔｅ  Ｔｅｍｐｅｒａｔｕｒｅ）電圧生成部と、
予め設定された基準波信号を生成する基準波信号生成部と、
前記絶対温度比例電圧と前記基準波信号を比較してパルス幅変調（以下、「ＰＷＭ」という）信号を生成するＰＷＭ信号生成部と、
前記ＰＷＭ信号を用いてモータ駆動のためのゲート信号を生成するモータ駆動部と、
を含み、
前記ＰＴＡＴ電圧生成部は制御信号により前記絶対温度比例電圧を調節する、モータ駆動回路。
【請求項９】
前記ＰＴＡＴ電圧生成部は、
前記制御信号により可変される可変抵抗と、絶対温度に比例する絶対温度比例抵抗との抵抗比率に応じて、前記絶対温度比例電圧を調節する、請求項８に記載のモータ駆動回路。
【請求項１０】
前記ＰＴＡＴ電圧生成部は、
電源電圧端に並列に連結された一端及び他端を有する第１〜第ｎの抵抗を含む抵抗回路部と、
前記第１〜第ｎの抵抗それぞれの他端に連結された一端及び他端を有する第１〜第ｎのスイッチを含み、前記第１〜第ｎのスイッチそれぞれは前記制御信号によりスイッチング動作するスイッチ回路部と、
前記第１〜第ｎのスイッチそれぞれの他端に連結された共通接続ノードと接地の間に設けられて、前記絶対温度比例抵抗を有する半導体素子と、
を含む、請求項９に記載のモータ駆動回路。
【請求項１１】
前記ＰＴＡＴ電圧生成部は、
電源電圧端に連結された一端及び他端を有し、前記絶対温度比例抵抗を有する半導体素子と、
前記半導体素子の他端に並列に連結された一端及び他端を有する第１〜第ｎのスイッチを含み、前記第１〜第ｎのスイッチそれぞれは前記制御信号によりスイッチング動作するスイッチ回路部と、
前記第１〜第ｎのスイッチそれぞれの他端に連結された一端と接地に連結された他端を有する第１〜第ｎの抵抗を含む抵抗回路部と、
を含む、請求項９に記載のモータ駆動回路。
【請求項１２】
前記半導体素子は、
前記絶対温度比例抵抗を有するトランジスタである、請求項１０又は１１に記載のモータ駆動回路。
【請求項１３】
前記ＰＷＭ信号生成部は、
前記基準波信号の電圧レベルが前記絶対温度比例電圧のレベル以上の場合はハイレベルを有するＰＷＭ信号を提供し、前記基準波信号の電圧レベルが前記絶対温度比例電圧のレベル未満の場合はローレベルを有するＰＷＭ信号を提供する、請求項８に記載のモータ駆動回路。
【請求項１４】
前記ＰＷＭ信号生成部は、
前記基準波信号の電圧レベルが前記絶対温度比例電圧のレベル以上の場合はローレベルを有するＰＷＭ信号を提供し、前記基準波信号の電圧レベルが前記絶対温度比例電圧のレベル未満の場合はハイレベルを有するＰＷＭ信号を提供する、請求項８に記載のモータ駆動回路。
【発明の詳細な説明】
【技術分野】
【０００１】
本発明は、ファン（Ｆａｎ）モータに適用されることができ、パルス幅変調（Ｐｕｌｓｅ  Ｗｉｄｔｈ  Ｍｏｄｕｌａｔｉｏｎ、以下、「ＰＷＭ」という）信号を生成するために用いられる絶対温度比例（Ｐｒｏｐｏｒｔｉｏｎａｌ  Ｔｏ  Ａｂｓｏｕｌｔｅ  Ｔｅｍｐｅｒａｔｕｒｅ、ＰＴＡＴ）電圧を調節することができるＰＷＭ信号生成回路及びモータ駆動回路に関する。
【背景技術】
【０００２】
一般に、ファン（Ｆａｎ）モータを駆動させるためには、ＰＷＭ信号を生成するＰＷＭ信号生成部と、上記ＰＷＭ信号を用いて駆動信号を生成する駆動部とを必要とする。
【０００３】
この際、上記ＰＷＭ駆動部は、モータ駆動回路の発熱程度に応じて上記ＰＷＭ信号のデューティ比を調節して発熱による影響を減少させる。
【０００４】
しかしながら、既存のモータ駆動回路は、モータ駆動回路の温度変化による影響を補償するために、温度センサー（Ｔｅｍｐ  Ｓｅｎｓｏｒ）を含む。
【０００５】
このような温度センサー（Ｔｅｍｐ  Ｓｅｎｓｏｒ）は、モータ駆動回路の温度変化を検出することはできるが、小型化のための集積化は困難であるという問題がある。
【０００６】
また、上記温度センサー（Ｔｅｍｐ  Ｓｅｎｓｏｒ）は、検出可能な温度範囲による出力値が固定されているため、適用される製品の状態に応じて適宜調節することができないという問題もある。
【０００７】
下記の先行技術文献に記載された特許文献１は、温度補償型発振器に関するもので、単にトランジスタを用いて絶対温度比例電圧を提供することはできるが、制御信号を用いて絶対温度比例電圧を調節する技術的事項は開示していない。
【先行技術文献】
【特許文献】
【０００８】
【特許文献１】韓国公開特許第１０−２０１２−００４６３９３号公報
【発明の概要】
【発明が解決しようとする課題】
【０００９】
本発明は、上述した従来技術の問題を解決するためのもので、ファン（Ｆａｎ）モータに適用されることができ、ＰＷＭ信号を生成するために用いられる絶対温度比例（ＰＴＡＴ）電圧を調節することができるＰＷＭ信号生成回路及びモータ駆動回路を提供することを目的とする。
【課題を解決するための手段】
【００１０】
本発明の第１の技術的な面によれば、本発明は、絶対温度に比例する絶対温度比例電圧を生成するＰＴＡＴ電圧生成部と、予め設定された基準波信号を生成する基準波信号生成部と、上記絶対温度比例電圧と上記基準波信号を比較してＰＷＭ信号を生成するＰＷＭ信号生成部と、を含み、上記ＰＴＡＴ電圧生成部は制御信号により上記絶対温度比例電圧を調節するパルス幅変調信号生成回路を提案する。
【００１１】
また、本発明の第２の技術的な面によれば、本発明は、絶対温度に比例する絶対温度比例電圧を生成するＰＴＡＴ電圧生成部と、予め設定された基準波信号を生成する基準波信号生成部と、上記絶対温度比例電圧と上記基準波信号を比較してＰＷＭ信号を生成するＰＷＭ信号生成部と、上記ＰＷＭ信号を用いてモータ駆動のためのゲート信号を生成するモータ駆動部と、を含み、上記ＰＴＡＴ電圧生成部は制御信号により上記絶対温度比例電圧を調節するモータ駆動回路を提案する。
【００１２】
本発明の第１及び第２の技術的な面において、上記ＰＴＡＴ電圧生成部は、上記制御信号により可変される可変抵抗と、絶対温度に比例する絶対温度比例抵抗との抵抗比率に応じて上記絶対温度比例電圧を調節するように構成されることができる。
【００１３】
上記ＰＴＡＴ電圧生成部は、電源電圧端に並列に連結された一端及び他端を有する第１〜第ｎの抵抗を含む抵抗回路部と、上記第１〜第ｎの抵抗それぞれの他端に連結された一端及び他端を有する第１〜第ｎのスイッチを含み、上記第１〜第ｎのスイッチそれぞれは上記制御信号によりスイッチング動作するスイッチ回路部と、上記第１〜第ｎのスイッチそれぞれの他端に連結された共通接続ノードと接地の間に設けられて上記絶対温度比例抵抗を有する半導体素子と、を含むことができる。
【００１４】
上記ＰＴＡＴ電圧生成部は、電源電圧端に連結された一端及び他端を有し、上記絶対温度比例抵抗を有する半導体素子と、上記半導体素子の他端に並列に連結された一端及び他端を有する第１〜第ｎのスイッチを含み、上記第１〜第ｎのスイッチそれぞれは上記制御信号によりスイッチング動作するスイッチ回路部と、上記第１〜第ｎのスイッチそれぞれの他端に連結された一端と接地に連結された他端を有する第１〜第ｎの抵抗を含む抵抗回路部と、を含むことができる。
【００１５】
上記半導体素子は、上記絶対温度比例抵抗を有するトランジスタからなることができる。
【００１６】
上記ＰＷＭ信号生成部は、上記基準波信号の電圧レベルが上記絶対温度比例電圧のレベル以上の場合はハイレベルを有するＰＷＭ信号を提供し、上記基準波信号の電圧レベルが上記絶対温度比例電圧のレベル未満の場合はローレベルを有するＰＷＭ信号を提供するように構成されることができる。
【００１７】
上記ＰＷＭ信号生成部は、上記基準波信号の電圧レベルが上記絶対温度比例電圧のレベル以上の場合はローレベルを有するＰＷＭ信号を提供し、上記基準波信号の電圧レベルが上記絶対温度比例電圧のレベル未満の場合はハイレベルを有するＰＷＭ信号を提供するように構成されることができる。
【発明の効果】
【００１８】
本発明によれば、ＰＷＭ信号を生成するために用いられる絶対温度に比例するＰＴＡＴ電圧を生成するＰＴＡＴ電圧生成回路が集積回路として具現されることができ、適用される製品に応じてＰＴＡＴ電圧を調節することができる。
【図面の簡単な説明】
【００１９】
【図１】本発明の実施例によるＰＷＭ信号生成回路を示すブロック図である。
【図２】本発明の実施例によるモータ駆動回路を示すブロック図である。
【図３】本発明の実施例によるＰＴＡＴ電圧生成部の第１の具現例示図である。
【図４】本発明の実施例によるＰＴＡＴ電圧生成部の第２の具現例示図である。
【図５】本発明の実施例による基準波信号生成部の第１の具現例示図である。
【図６】本発明の実施例による基準波信号生成部の第２の具現例示図である。
【図７】本発明の実施例によるＰＷＭ信号の生成原理説明図である。
【図８】本発明の実施例によるＰＴＡＰ電圧及び温度関係グラフである。
【発明を実施するための形態】
【００２０】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００２１】
図１は、本発明の実施例によるＰＷＭ信号生成回路を示すブロック図である。
【００２２】
図１を参照すると、本発明の実施例によるＰＷＭ信号生成回路は、ＰＴＡＴ電圧生成部１００、基準波信号生成部２００及びＰＷＭ信号生成部３００を含むことができる。
【００２３】
図２は、本発明の実施例によるモータ駆動回路を示すブロック図である。
【００２４】
図２を参照すると、本発明の実施例によるモータ駆動回路は、ＰＴＡＴ電圧生成部１００、基準波信号生成部２００、ＰＷＭ信号生成部３００及びモータ駆動部４００を含むことができる。
【００２５】
上記ＰＴＡＴ電圧生成部１００は、絶対温度に比例する絶対温度比例（ＰＴＡＴ）電圧Ｖｐｔａｔを生成することができる。また、上記ＰＴＡＴ電圧生成部１００は、制御信号ＳＣにより上記絶対温度比例電圧Ｖｐｔａｔを調節することができる。
【００２６】
上記基準波信号生成部２００は、予め設定された基準波信号Ｓｒｅｆを生成することができる。この際、上記基準波信号Ｓｒｅｆは、予め設定された周波数を有する三角波（ｔｒｉａｎｇｌｅ  ｗａｖｅ）やのこぎり波（ｓａｗ  ｗａｖｅ）の形態を有する信号であることができる。
【００２７】
そして、上記ＰＷＭ信号生成部３００は、上記絶対温度比例電圧Ｖｐｔａｔと上記基準波信号Ｓｒｅｆを比較してＰＷＭ信号を生成することができる。ここで、上記ＰＷＭは、上記基準波信号と同一の周波数を有し、ハイレベルとローレベルが繰り返される信号となることができる。上記絶対温度比例電圧Ｖｐｔａｔと上記基準波信号Ｓｒｅｆの比較結果に応じて、上記ＰＷＭ信号の幅が可変されることができる。
【００２８】
上記モータ駆動部４００は、上記ＰＷＭ信号を用いてモータ駆動のためのゲート信号ＳＧを生成し、上記ゲート信号ＳＧをモータインバーター５００に提供してモータを駆動させることができる。
【００２９】
より詳細には、上記ＰＴＡＴ電圧生成部１００は、上記制御信号ＳＣにより可変される可変抵抗と、絶対温度に比例する絶対温度比例抵抗との抵抗比率に応じて、上記絶対温度比例電圧Ｖｐｔａｔを調節することができる。
【００３０】
このような上記ＰＴＡＴ電圧生成部１００の具現例について図３及び図４を参照して以下に説明する。
【００３１】
図３は、本発明の実施例によるＰＴＡＴ電圧生成部の第１の具現例示図である。
【００３２】
図３を参照すると、上記ＰＴＡＴ電圧生成部１００は、抵抗回路部２００‐Ｒ、スイッチ回路部２００‐ＳＷ及び半導体素子２００‐Ｍを含むことができる。
【００３３】
図３を参照すると、上記抵抗回路部２００‐Ｒは、電源電圧Ｖｄｄ端に並列に連結された一端及び他端を有する第１〜第ｎの抵抗（Ｒ１〜Ｒｎ、ｎは２以上の自然数）を含むことができる。ここで、上記抵抗回路部２００‐Ｒが抵抗を可変するためには、少なくとも２つの抵抗を含むことができる。
【００３４】
上記スイッチ回路部２００‐ＳＷは、上記第１〜第ｎの抵抗（Ｒ１〜Ｒｎ）それぞれの他端に連結された一端及び他端を有する第１〜第ｎのスイッチ（ＳＷ１〜ＳＷｎ）を含むことができる。この際、上記第１〜第ｎのスイッチ（ＳＷ１〜ＳＷｎ）それぞれは上記制御信号ＳＣによりスイッチング動作することができる。
【００３５】
例えば、上記スイッチ回路部２００‐ＳＷは、上記第１〜第８のスイッチを含む場合、上記第１のスイッチのみがオンされ、第２〜第８のスイッチはオフされることができ、上記第２のスイッチのみがオンされ、第１、第３〜第８のスイッチはオフされることができ、上記第８のスイッチのみがオンされ、第１〜第７のスイッチはオフされることができる。
【００３６】
ここで、上記第１〜第ｎのスイッチ（ＳＷ１〜ＳＷｎ）は、半導体スイッチ素子として、例えば、ＭＯＳＦＥＴからなることができる。
【００３７】
そして、上記半導体素子２００‐Ｍは、上記第１〜第ｎのスイッチ（ＳＷ１〜ＳＷｎ）それぞれの他端に連結された共通接続ノードＮＣと接地の間に設けられて、上記絶対温度比例抵抗を有する。
【００３８】
例えば、上記半導体素子２００‐Ｍは、上記共通接続ノードＮＣに接続されたコレクター及びベースと、接地に接続されたエミッタを有するトランジスタからなることができる。このようなトランジスタは、絶対温度に比例する絶対温度比例抵抗を提供することができる。
【００３９】
図４は、本発明の実施例によるＰＴＡＴ電圧生成部の第２の具現例示図である。
【００４０】
図４を参照すると、上記ＰＴＡＴ電圧生成部１００は、半導体素子２００‐Ｍ、スイッチ回路部２００‐ＳＷ及び抵抗回路部２００‐Ｒを含むことができる。
【００４１】
図４を参照すると、上記半導体素子２００‐Ｍは、電源電圧Ｖｄｄ端に連結された一端及び他端を有し、上記絶対温度比例抵抗を有する。
【００４２】
上記半導体素子２００‐Ｍは、上記絶対温度比例抵抗を有するトランジスタＱ１を含むことができる。
【００４３】
上記スイッチ回路部２００‐ＳＷは、上記半導体素子２００‐Ｍの他端に並列に連結された一端及び他端を有する第１〜第ｎのスイッチ（ＳＷ１〜ＳＷｎ、ｎは２以上の自然数）を含むことができる。
【００４４】
上記第１〜第ｎのスイッチ（ＳＷ１〜ＳＷｎ）それぞれは、上記制御信号ＳＣによりスイッチング動作する。
【００４５】
上記抵抗回路部２００‐Ｒは、上記第１〜第ｎのスイッチ（ＳＷ１〜ＳＷｎ）それぞれの他端に連結された一端と接地に連結された他端を有する第１〜第ｎの抵抗（Ｒ１〜Ｒｎ）を含むことができる。
【００４６】
図５は、本発明の実施例による基準波信号生成部の第１の具現例示図である。
【００４７】
図５を参照すると、上記ＰＷＭ信号生成部３００は、基準波信号Ｓｒｅｆが入力される非反転入力端、絶対温度比例電圧Ｖｐｔａｔが入力される反転入力端及び出力端を有する第１の演算増幅器ＯＰ１を含むことができる。
【００４８】
上記第１の演算増幅器ＯＰ１は、上記基準波信号Ｓｒｅｆの電圧レベルが上記絶対温度比例電圧Ｖｐｔａｔのレベル以上の場合はハイレベルを有するＰＷＭ信号を提供し、上記基準波信号Ｓｒｅｆの電圧レベルが上記絶対温度比例電圧Ｖｐｔａｔのレベル未満の場合はローレベルを有するＰＷＭ信号Ｓｐｗｍを提供することができる。
【００４９】
図６は、本発明の実施例による基準波信号生成部の第２の具現例示図である。
【００５０】
図６を参照すると、上記ＰＷＭ信号生成部３００は、基準波信号Ｓｒｅｆが入力される反転入力端、絶対温度比例電圧Ｖｐｔａｔが入力される非反転入力端及び出力端を有する第２の演算増幅器ＯＰ２を含むことができる。
【００５１】
上記第２の演算増幅器ＯＰ２は、上記基準波信号Ｓｒｅｆの電圧レベルが上記絶対温度比例電圧Ｖｐｔａｔのレベル以上の場合はローレベルを有するＰＷＭ信号を提供し、上記基準波信号Ｓｒｅｆの電圧レベルが上記絶対温度比例電圧Ｖｐｔａｔのレベル未満の場合はハイレベルを有するＰＷＭ信号Ｓｐｗｍを提供することができる。
【００５２】
図７は、本発明の実施例によるＰＷＭ信号の生成原理説明図である。
【００５３】
図５及び図７を参照すると、図５に示すＰＷＭ信号生成部３００で生成されるＰＷＭ信号は、図７に示されているような原理で生成されることができる。
【００５４】
例えば、説明の便宜のために、上記絶対温度比例電圧Ｖｐｔａｔが次第に低くなるとすると、上記基準波信号Ｓｒｅｆの電圧レベルが上記絶対温度比例電圧Ｖｐｔａｔのレベル以上の場合はＰＷＭ信号がハイレベルとなり、上記基準波信号Ｓｒｅｆの電圧レベルが上記絶対温度比例電圧Ｖｐｔａｔのレベル未満の場合は上記ＰＷＭ信号がローレベルとなる。
【００５５】
図８は、本発明の実施例によるＰＴＡＰ電圧及び温度関係グラフである。
【００５６】
図８を参照すると、図３に示す上記抵抗回路部２００‐Ｒが第１〜第８の抵抗を含み、上記スイッチ回路部２００‐ＳＷも第１〜第８のスイッチを含む場合における、絶対温度に対する絶対温度比例電圧Ｖｐｔａｔのグラフが示されている。
【００５７】
Ｇ１は、第１のスイッチのみがオンされて第１の抵抗のみが選択された場合における、絶対温度に対する絶対温度比例電圧Ｖｐｔａｔのグラフであり、Ｇ２は、第２のスイッチのみがオンされて第２の抵抗のみが選択された場合における、絶対温度に対する絶対温度比例電圧Ｖｐｔａｔのグラフであり、Ｇ３は、第３のスイッチのみがオンされて第３の抵抗のみが選択された場合における、絶対温度に対する絶対温度比例電圧Ｖｐｔａｔのグラフであり、Ｇ４は、第４のスイッチのみがオンされて第４の抵抗のみが選択された場合における、絶対温度に対する絶対温度比例電圧Ｖｐｔａｔのグラフであり、Ｇ５は、第５のスイッチのみがオンされて第５の抵抗のみが選択された場合における、絶対温度に対する絶対温度比例電圧Ｖｐｔａｔのグラフであり、Ｇ６は、第６のスイッチのみがオンされて第６の抵抗のみが選択された場合における、絶対温度に対する絶対温度比例電圧Ｖｐｔａｔのグラフであり、Ｇ７は、第７のスイッチのみがオンされて第７の抵抗のみが選択された場合における、絶対温度に対する絶対温度比例電圧Ｖｐｔａｔのグラフであり、Ｇ８は、第８のスイッチのみがオンされて第８の抵抗のみが選択された場合における、絶対温度に対する絶対温度比例電圧Ｖｐｔａｔのグラフである。
【００５８】
図８に示されるグラフ（Ｇ１〜Ｇ８）を参照すると、上記スイッチ回路部２００‐ＳＷにより上記抵抗回路部２００‐Ｒの抵抗を選択することにより、温度に対応する絶対温度比例電圧Ｖｐｔａｔを調節することができることが分かる。
【００５９】
なお、上述した図８に関する説明は本発明における一つの動作特性を説明するための例に過ぎず、上記スイッチ回路部２００‐ＳＷに含まれる複数のスイッチのオン及びオフの組み合わせに応じて、多様な絶対温度に対する絶対温度比例電圧Ｖｐｔａｔの特性を実現することができる。
【符号の説明】
【００６０】
１００  ＰＴＡＴ電圧生成部
２００  基準波信号生成部
３００  ＰＷＭ信号生成部
４００  モータ駆動部
２００‐Ｒ  抵抗回路部
２００‐ＳＷ  スイッチ回路部
２００‐Ｍ  半導体素子
Ｖｐｔａｔ  絶対温度比例電圧
Ｓｒｅｆ  基準波信号
ＳＧ  ゲート信号
Ｒ１〜Ｒｎ  第１〜第ｎの抵抗
ＳＷ１〜ＳＷｎ  第１〜第ｎのスイッチ
【図１】
2014093934.tif 000003
【図２】
2014093934.tif 000004
【図３】
2014093934.tif 000005
【図４】
2014093934.tif 000006
【図５】
2014093934.tif 000007
【図６】
2014093934.tif 000008
【図７】
2014093934.tif 000009
【図８】
2014093934.tif 000010